(57)【要約】【課題】  供給マガジンが移動しても供給マガジンと共に移動する検出対象を検出するセンサが検出不能となるのを防ぐ。【解決手段】  印画紙の幅方向に沿って移動可能な供給マガジン９０が載置されるマガジン台３２は、供給マガジン９０に取り付けられたマガジンコード９５を検出するマガジンコードセンサ４０を支持する支持部材４６と常に当接しつつ支持部材４６を押圧する。そして、プリント筐体３に対して固定された第１固定部材５１と、垂直方向に延在していると共にプリント筐体３に対して固定されており、支持部材４６に形成された開口４２ａに遊嵌される鋲５４と、印画紙２の幅方向に沿って配置されており、その一端が支持部材４６に、他端が第１固定部材５１にそれぞれ取り付けられているばね５５とを有する付勢機構５０によって、支持部材４６を、マガジン台３２に近づく方向に付勢する。【選択図】        図６
2007017682.tif 000002
【特許請求の範囲】
【請求項１】
感光材料に露光を施して写真プリントを作成する写真処理装置において、
巻回された長尺の感光材料を格納する供給マガジンと、
前記供給マガジンを収容する収容室が形成された筐体と、
前記収容室内において前記供給マガジンを感光材料の幅方向に移動させることが可能な移動機構と、
前記移動機構によって前記供給マガジンと共に移動させられる検出対象を検出するためのセンサと、
前記供給マガジンが前記幅方向に移動した際に、前記センサを前記供給マガジンと同じ方向に同じ距離だけ移動させるセンサ移動機構とを備えていることを特徴とする写真処理装置。
【請求項２】
前記センサ移動機構が、
前記センサを支持する支持部材と、
前記供給マガジンが前記幅方向に移動するのに連動して前記幅方向に移動する連動部材と、
前記連動部材が前記支持部材に当接しつつ前記支持部材を押圧しているときに、前記支持部材を前記連動部材に近づく方向に付勢する付勢機構とを備えていることを特徴とする請求項１に記載の写真処理装置。
【請求項３】
前記付勢機構が、
前記筐体に固定された固定部材と、
前記幅方向に沿って配置されており、一端が前記支持部材に取り付けられており、他端が前記固定部材に取り付けられたばねとを備えていることを特徴とする請求項２に記載の写真処理装置。
【請求項４】
前記付勢機構が、前記幅方向と直交する方向に延在していると共に前記筐体に対して固定された鋲をさらに備えており、
前記支持部材に前記鋲が遊嵌される遊嵌部が形成されていることを特徴とする請求項２または３に記載の写真処理装置。
【請求項５】
前記筐体及び前記固定部材に前記鋲が挿嵌される挿嵌部が形成されていると共に、前記支持部材が前記筐体と前記固定部材との間に配置されており、前記筐体と前記固定部材との間に所定の間隔の隙間を形成させるためのスペーサ部が前記筐体に形成されていることを特徴とする請求項４に記載の写真処理装置。
【請求項６】
前記付勢機構が、前記幅方向と直交する方向に延在する鋲をさらに備えており、
前記支持部材に前記鋲が挿嵌される挿嵌部が形成されていると共に、前記固定部材に前記鋲が遊嵌される遊嵌部が形成されていることを特徴とする請求項２または３に記載の写真処理装置。
【発明の詳細な説明】
【技術分野】
【０００１】
本発明は、供給マガジンから引き出された長尺の感光材料に対して露光処理を施すことによって写真プリントを作成する写真処理装置に関する。
【背景技術】
【０００２】
近年、感光材料に露光を施して写真プリントを作成する写真処理装置においては、フィルムを撮像することによって得られたディジタル画像信号に基づいて制御された光で感光材料を露光するディジタル露光方式が実用化されている。ディジタル露光方式を採用することにより、色補正、濃度補正や鮮鋭化処理、部分的な画像補正などの各種画像処理を自由に行うことができるとともに迅速な焼き増し処理が可能になり、さらに、色および濃度の再現性や解像度に優れたより高画質の良好なプリントを得ることが可能となる。
【０００３】
かかる写真処理装置に備えられている露光装置の一つとして、例えば、Ｒ（赤）、Ｇ（緑）、Ｂ（青）の３色の光を順次出射する光源と、主走査方向（感光材料の搬送方向と直交する方向）に沿って複数の素子（例えば、ＰＬＺＴ方式においては、光源から出射された光を遮蔽する状態と透過する状態とを切り換えることができる光シャッタ素子）が配置された露光ヘッドを用いたライン露光装置がある。ライン露光装置では、副走査方向に搬送される感光材料と主走査方向に延在する露光ヘッドとを対向させて、感光材料に露光処理を施す。また、露光ヘッドにおける複数の素子の配列長さ（有効露光幅）は、当該露光ヘッドが備えられた露光装置で用いられる種々の感光材料の最大幅よりも広くなっている。これにより、感光材料が主走査方向に位置ずれした状態で印画紙が搬送された場合であっても、感光材料の全面に露光処理を施すことが可能となる。
【０００４】
露光ヘッドに配置された複数の素子は、個体差や経年変化により互いにその特性が異なる。各素子の特性のバラツキは、画像品質を大きく低下させる要因となる。したがって、各素子の特性のバラツキを調整する、すなわちユニフォミティの補正を行う必要がある。特許文献１には、ユニフォミティの補正方法として、まず、露光ヘッドと感光材料とを対向させた状態で感光材料に露光処理を施すことによって潜像を形成し、次に現像処理によって画像を顕在化させた後、スキャナによって画像の濃度を読み取って、各素子に対する補正テーブルを生成する方法が記載されている。
【特許文献１】特開２０００−２３３５２８号公報
【発明の開示】
【発明が解決しようとする課題】
【０００５】
しかしながら、上述のように、露光ヘッドの有効露光幅は感光材料の最大幅よりも広いので、特許文献１に記載の方法では、感光材料と対向しない領域に配置された素子についてはユニフォミティの補正を行うことができない。そこで、供給マガジンを主走査方向に移動させ、露光ヘッドによる露光領域における感光材料の搬送位置を露光ヘッドの複数の素子の配列方向である主走査方向に沿って移動させることによって、感光材料の最大幅よりも広い幅でユニフォミティのためのテスト露光を行うことが考えられる。
【０００６】
ところで、写真処理装置には、供給マガジンに取り付けられたマガジンコードを検出するためのマガジンコードセンサが設けられている。マガジンコードとは、供給マガジンに収容された感光材料の幅及び面質等の種類を示すものである。具体的には、長細形状の開口が複数形成された板状の部材と、開口の一部を塞ぐように各開口にそれぞれ嵌め込まれたスライダとで構成されており、各開口の被検出位置におけるスライダの有無、すなわち各開口の被検出位置が塞がれているか開放されているかの組合せで感光材料の種類を表すものである。マガジンコードセンサでマガジンコードを検出することによって、供給マガジンの有無、及び供給マガジンに収容された感光材料の種類を検出することができる。
【０００７】
また、写真処理装置には、供給マガジンから引き出された感光材料のスプライス部を検出するためのスプライスセンサが設けられている。スプライス部とは、感光材料の製造上の都合により、２枚の感光材料が互いにつなぎ合わされた部分である。スプライス部が設けられた部分の近傍には開口が形成されており、スプライスセンサは当該開口を検出することで、スプライス部の存在を検出することができる。
【０００８】
上述のように、ユニフォミティのためのテスト露光を行う際に供給マガジンを主走査方向に移動させた場合には、供給マガジンの移動に伴って、マガジンコードセンサが検出するマガジンコードやスプライスセンサが検出するスプライス部の近傍に形成された開口が通過する位置が移動するために、マガジンコードやスプライス部の検出ができなくなるという問題が生じる。
【０００９】
そこで、本発明の目的は、供給マガジンが移動しても供給マガジンと共に移動する検出対象を検出するセンサが検出不能となるのを防ぐことができる写真処理装置を提供することである。
【課題を解決するための手段及び効果】
【００１０】
本発明の写真処理装置は、感光材料に露光を施して写真プリントを作成する写真処理装置において、巻回された長尺の感光材料を格納する供給マガジンと、前記供給マガジンを収容する収容室が形成された筐体と、前記収容室内において前記供給マガジンを感光材料の幅方向に移動させることが可能な移動機構と、前記移動機構によって前記供給マガジンと共に移動させられる検出対象を検出するためのセンサと、前記供給マガジンが前記幅方向に移動した際に、前記センサを前記供給マガジンと同じ方向に同じ距離だけ移動させるセンサ移動機構とを備えている。
【００１１】
この構成によると、供給マガジンが移動しても供給マガジンと共に移動する検出対象を検出するセンサが検出不能となるのを防ぐことができる。
【００１２】
本発明の写真処理装置では、前記センサ移動機構が、前記センサを支持する支持部材と、前記供給マガジンが前記幅方向に移動するのに連動して前記幅方向に移動する連動部材と、前記連動部材が前記支持部材に当接しつつ前記支持部材を押圧しているときに、前記支持部材を前記連動部材に近づく方向に付勢する付勢機構とを備えていることが好ましい。この構成によると、センサを支持する支持部材が、供給マガジンの移動と同期して供給マガジンと同じ方向に同じ距離だけ移動する。したがって、簡易な機構でセンサを移動させることができる。
【００１３】
本発明の写真処理装置では、前記付勢機構が、前記筐体に固定された固定部材と、前記幅方向に沿って配置されており、一端が前記支持部材に取り付けられており、他端が前記固定部材に取り付けられたばねとを備えていてもよい。この構成によると、ばねの弾性力によって支持部材を付勢することができる。
【００１４】
本発明の写真処理装置は、前記付勢機構が、前記幅方向と直交する方向に延在していると共に前記筐体に対して固定された鋲をさらに備えており、前記支持部材に前記鋲が遊嵌される遊嵌部が形成されていてもよい。この構成によると、簡易な機構によって、支持部材を筐体に対して移動可能に取り付けることができる。
【００１５】
本発明の写真処理装置は、前記筐体及び前記固定部材に前記鋲が挿嵌される挿嵌部が形成されていると共に、前記支持部材が前記筐体と前記固定部材との間に配置されており、前記筐体と前記固定部材との間に所定の間隔の隙間を形成させるためのスペーサ部が前記筐体に形成されていてもよい。この構成によると、スペーサ部によって形成された隙間によって、支持部材が筐体と固定部材との間をスムーズに移動することができる。
【００１６】
本発明の写真処理装置は、前記付勢機構が、前記幅方向と直交する方向に延在する鋲をさらに備えており、前記支持部材に前記鋲が挿嵌される挿嵌部が形成されていると共に、前記固定部材に前記鋲が遊嵌される遊嵌部が形成されていてもよい。この構成によると、支持部材が鋲と共に固定部材に対して移動することが可能となる。よって、簡易な機構によって、支持部材を筐体に対して移動可能に取り付けることができる。
【発明を実施するための最良の形態】
【００１７】
以下、本発明の好適な実施の形態について、図面を参照しつつ説明する。図１は、本実施の形態に係る写真処理装置の概略構成を示す図である。
【００１８】
図１に示すように、写真処理装置１には、フィルムを撮像することによって得られたディジタル画像信号に基づいて、その内部で印画紙２に対して露光処理が行われるプリント筐体３と、その内部で露光処理済みの印画紙２に対して現像・乾燥処理が行われるプロセッサ筐体４とが設けられている。つまり、写真処理装置１内では、プリント筐体３からプロセッサ筐体４に向かって印画紙２が搬送されて処理が行われる。そこで、以下の説明において、図１の矢印Ａで示す紙面左下から右上に向かう方向を「処理方向」と称する。
【００１９】
プリント筐体３の上部には、モニタ５とスキャナ装置６とが設けられている。スキャナ装置６には、ネガキャリア７が着脱自在に構成されており、ネガキャリア７に挿入されたネガフィルムのコマ画像を読み取ることができる。モニタ５は、スキャナ装置６により読み取られたコマ画像を映し出すことができる。モニタ５やスキャナ装置６の手前側には、操作テーブル８が設けられている。操作テーブル８には、各種のデータの入力や写真処理装置１に対する指示入力を行うための操作卓９が設けられている。また、プリント筐体３の内部には、長尺の巻回された印画紙２を格納する供給マガジン９０を収容するための収容室１０が形成されている。なお、供給マガジン９０は、その内部に格納されている印画紙２の幅方向が写真処理装置１の奥行き方向と一致するように収容される。そして、プリント筐体３の正面（図１において、紙面右手前側面）には、収容室１０を開閉するための扉体１１が設けられている。
【００２０】
図２は、扉体１１を開いた状態を示す図である。図２に示すように、扉体１１は開き扉である。そして、扉体１１の収容室１０側の面には、収容室１０内に突出するように配置されたピン２０が設けられている。ピン２０は、図示しないばねを介して扉体１１に支持されている。したがって、扉体１１を閉めた状態で、ピン２０の先端部が収容室１０内に収容された供給マガジン９０に当接したときには、供給マガジン９０は、ピン２０を支持するばねの弾性力によって、収容室１０の奥に向かって付勢される。
【００２１】
また、図２に示すように、供給マガジン９０は、マガジン台３２に載置されている。供給マガジン１０が収容されていない収容室１０内を写真処理装置１の前面から観た図である図８に示すように、マガジン台３２は、矩形形状の底面３２ａと４つの側面３２ｂとを有している。マガジン台３２は、印画紙２の幅方向に沿って移動可能であり、扉体１１を開いた状態で、収容室１０の外まで引き出すことができる。したがって、マガジン台３２を収容室１０の外に引き出した状態で、マガジン台３２に供給マガジン９０を載置することができるので、写真処理装置１のオペレータは、容易に供給マガジン９０を写真処理装置１にセットすることができる。
【００２２】
さらに、図２に示すように、収容室１０内に収容された供給マガジン９０の上方には、供給マガジン９０に格納された印画紙２を引き出して、露光処理が行われる露光位置まで搬送するためのローラ２１や印画紙２に対して露光処理を施す露光ヘッド（図示せず）等を支持するためのフレーム２３等が配置されている。なお、フレーム２３は、プリント筐体３に固定されている。
【００２３】
図１に戻って、プロセッサ筐体４には、プリント筐体３及びプロセッサ筐体４内で所定の処理が施された印画紙２を仕上がり写真プリントとして筐体外に排出するプリント排出部１２が設けられている。そして、プロセッサ筐体４の上部には、プリント排出部１２から排出された写真プリントを受け止めて搬送する横送りコンベア１３と、横送りコンベア１３によって搬送された写真プリントを受け取りオーダ単位で仕分けた状態で搬送するオーダコンベア１４とが配置されている。
【００２４】
ここで、図３を参照しつつ、供給マガジン９０の構造について説明する。なお、供給マガジン９０が収容室１０に収容された際には、図３において、紙面右奥側が装置手前側、紙面左手前側が装置奥側となる。以下の説明において、装置手前側から奥側に向かう方向（図３において、矢印Ｂで示す方向）を「収容方向」と称する。供給マガジン９０は、略直方体形状であり、内部に格納された印画紙２が排出される排出口９２と、２つの凹部９３、９４とが形成されている。より詳細には、供給マガジン９０の上面は、その上面における収容方向に沿う一辺に対応する長手部分９１ａと、その長手部分の一端から収容方向手前側の一辺へ沿って折れ曲がった短手部分９１ｂとからなるＬ字状に突出した突出部９１が形成されている。そして、排出口９２は、長手部分９１ａの上面に形成されている。凹部９３は、収容方向奥側の面の長手部分９１ａに対応する部分に形成されており、収容方向とは反対の方向に窪んでいる。凹部９４は、短手部分９１ａの収容方向奥側の面に形成されており、収容方向とは反対の方向に窪んでいる。凹部９３、９４には、いずれも収容方向に沿って延在する位置決めピン３１、３２がそれぞれ挿嵌される。これにより、収容室１０内における供給マガジン９０の処理方向に沿う位置を規制することができる。
【００２５】
位置決めピン３１には、押圧部材３１ａが嵌合されている。また、位置決めピン３１は、図示しない移動機構によって、印画紙２の幅方向に沿って移動可能となっている。よって、位置決めピン３１を供給マガジン９０に近づく方向に移動させることで、位置決めピン３１と共に押圧部材３１ａが供給マガジン９０に向かう方向に移動する。すなわち、押圧部材３１ａは、供給マガジン９０を扉体１１に設けられたピン２０による付勢方向とは反対の方向に押圧することができる。したがって、押圧部材３１ａをピン２０による付勢方向とは反対側に移動させた場合には、供給マガジン９０は、押圧部材３１ａの押圧力によって押圧方向に移動し、押圧部材３１ａをピン２０による付勢方向に移動させた場合には、供給マガジン９０は、ピン２０の付勢力によって付勢方向に移動する。つまり、供給マガジン９０は、図４に示すように、印画紙２の幅方向に沿って移動可能であり、写真処理装置１内における印画紙２の搬送経路を印画紙２の幅方向に沿って移動させることができる。なお、収容室１０内で供給マガジン９０が移動する際には、マガジン台３２も供給マガジン９０に連動して移動する。
【００２６】
また、収容室１０に収容された供給マガジン９０の収容方向奥側部分の近傍を処理方向から観た図である図６に示すように、供給マガジン９０の収容方向奥側の面には、内部に格納されている印画紙２の幅及び面質の種類を示すマガジンコード９５が取り付けられている。図５に示すように、マガジンコード９５は、７個の長細形状の開口９６ａが互いに隣接するように形成された板状のベース９６と、開口９６ａの一部を塞ぐように各開口９６ａにそれぞれ嵌め込まれたスライダ９７とで構成されている。そして、マガジンコード９５は、開口９６ａの一端側の被検出位置がスライダ９７で塞がれているか開放されているかの組合せで印画紙２の種類を表すことができる。マガジンコード９５は、水平且つ開口９６ａの配列方向が処理方向に沿うように、供給マガジン９０に取り付けられる。
【００２７】
図６に戻って、マガジン台３２よりも収容方向奥側には、マガジンコードセンサ４０が配置されている。マガジンコードセンサ４０は、光学センサであり、発光素子４０ａ及び受光素子４０ａを備えている。マガジン台３２の収容方向奥側の側面３２ｂにおけるマガジンコードセンサ４０の配置位置に対応する部分には開口３３が形成されている。そして、開口３３からマガジン台３２内に突き出たマガジンコードセンサ４０の発光素子４０ａと受光素子４０ｂとの間に、マガジン台３２に載置された供給マガジン９０に取り付けられたマガジンコード９５が配置される。したがって、マガジンコードセンサ４０は、マガジン台３２に載置された供給マガジンのマガジンコード９５を読み取ることができる。マガジンコードセンサ４０でマガジンコード９５を読み取ることによって、供給マガジン９０が収容室１０に収容されているか否か、及び、供給マガジン９０に格納されている印画紙２の種類を検出することができる。なお、マガジンコードセンサ４０は、上述のように供給マガジン９０が印画紙２の幅方向に沿って移動した際に、センサ移動機構５９によって、供給マガジン９０と同じ方向に同じ距離だけ移動させられる。
【００２８】
ここで、図６、図８、及び図９を参照しつつ、センサ移動機構５９について説明する。図９は、収容室１０内を写真処理装置１の背面から観た図である。センサ移動機構５９は、マガジンコードセンサ４０を支持する支持部材４６と、供給マガジン９０と連動して移動する上述のマガジン台３２と、図６に示すように、マガジン台３２の底面３２ａの収容方向奥側の一端３２ｃが支持部材４６に当接しつつ支持部材４６を収容方向に向かって押圧しているときに、支持部材４６を収容方向とは反対の方向に付勢する付勢機構５０とからなる。
【００２９】
支持部材４６は、図６、及び図９に示すように、矩形の板状部材でありマガジンコードセンサ４０が取り付けられる取付板４１と、水平板４２及び水平板４２の収容方向両端部に連設された垂直板４３、４４からなるスライド部材４５とで構成されている。スライド部材４５の水平板４２は、収容室１０の底面と当接していると共に、後述する鋲５４が遊嵌される開口４２ａが形成されている。収容方向手前側の垂直板４３には、取付板４１が取り付けられており、収容方向奥側の垂直板４４には、後述するばね５５の一端が取り付けられている。
【００３０】
付勢機構５０は、プリント筐体３に固定された第１固定部材５１と、第１固定部材５１をプリント筐体３に対して固定するための垂直方向に延在する鋲５４と、印画紙２の幅方向に沿って配置される引張りコイルばねであるばね５５とを備えている。第１固定部材５１は、スライド部材４５の水平板４２上に配置されており、スライド部材４５の水平板４２と当接する水平板５２と、水平板５２の収容方向手前側の端部に連設されている垂直板５３とからなる。水平板５２には、鋲５４が挿嵌される孔５２ａが形成されている。図６に示すように、孔５２ａに挿嵌された鋲５４の端部は、収容室１０の底面に形成された孔１９に挿嵌されている。このようにして第１固定部材５１は、プリント筐体３に対して固定されている。また、垂直板５３には、ばね５５のスライド部材４５に取り付けられている側とは反対側の一端が取り付けられている。つまり、ばね５５の収容方向奥側の一端は、スライド部材４５に取り付けられており、収容方向手前側の一端は、第１固定部材５１に取り付けられている。
【００３１】
なお、図７に示すように、収容室１０の底面における支持部材４６が配置されている領域は、２枚の板状部材が貼り合わされた構造になっており、孔１９は、それぞれ板状部材に孔１９ａ、１９ｂを形成することによって構成されている。内側（収容室１０側）の板状部材に形成される孔１９ａは、バーリング加工によって形成されているので、孔１９ａの縁部には、上方に突出する立上り部１８が形成されている。この立上り部１８によって、収容室１０の底面と第１固定部材５１との間に所定の間隔の間隙が形成されている。すなわち、立上り部１８は、スペーサの機能を果たす。
【００３２】
上述のような構成により、図６に示すように、マガジン台３２の底面３２ａの収容方向奥側の一端３２ｃが、支持部材４６に当接しつつ支持部材４６を押圧すると、支持部材４６は、収容方向奥側へスライドする。これにより、ばね５５の支持部材４６に取り付けられている側の一端（収容方向奥側の一端）が、収容方向奥側に移動する。すなわち、ばね５５が伸長される。したがって、支持部材４６は、ばね５５が伸縮する方向である収容方向とは反対の方向に付勢される。なお、少なくとも収容室１０に供給マガジン９０が収容されている間は、常にマガジン台３２は支持部材４６に当接しつつ支持部材４６を収容方向に押圧している。つまり、支持部材４６は、常に収容方向とは反対の方向に付勢される。
【００３３】
以上のように、本実施の形態の写真処理装置１では、供給マガジン９０が印画紙２の幅方向に沿って移動した際に、センサ移動機構５９によって、マガジンコードセンサ４０が供給マガジン９０と同じ方向に同じ距離だけ移動させられる。したがって、供給マガジン９０が移動しても供給マガジン９０と共に移動するマガジンコード９５を検出するマガジンコードセンサ４０が検出不能となるのを防ぐことができる。
【００３４】
また、本実施の形態の写真処理装置１では、センサ移動機構５９が、マガジンコードセンサ４０を支持する支持部材４６と、供給マガジン９０と連動するマガジン台３２と、マガジン台３２が支持部材４６に当接しつつ支持部材４６を押圧しているときに、支持部材４６を収容方向とは反対の方向に付勢する付勢機構５０とからなる。したがって、マガジンコードセンサ４０を支持する支持部材４６が、供給マガジン９０の移動と同期して供給マガジン９０と同じ方向に同じ距離だけ移動する。よって、簡易な機構でセンサを移動させることができる。
【００３５】
また、本実施の形態の写真処理装置１では、付勢機構５０は、プリント筐体３に固定された第１固定部材５１と、印画紙２の幅方向に沿って配置されており、収容方向奥側の一端が支持部材４６に取り付けられており、収容方向手前側の一端が第１固定部材５１に取り付けられている引張りコイルばねであるばね５５とを備えている。したがって、支持部材４６が収容方向にスライドし、ばね５５が伸長した際のばね５５の弾性力によって支持部材４６を付勢することができる。
【００３６】
加えて、本実施の形態の写真処理装置１では、付勢機構５０が、プリント筐体３に対して固定されており垂直方向に延在する鋲５４を備えており、支持部材４６に鋲５４が遊嵌される開口４２ａが形成されている。したがって、簡易な機構によって、支持部材４６をプリント筐体３に対してスライド可能に取り付けることができる。
【００３７】
さらに、本実施の形態の写真処理装置１では、第１固定部材５１及び収容室１０の底面に鋲５４が挿嵌される孔５２ａ、１９がそれぞれ形成されている。孔１９は、２枚の部材にそれぞれ形成された孔１９ａ、１９ｂで構成されており、収容室１０側に形成された孔１９ａの縁部には、孔１９ａをバーリング加工で形成することによって生じる上方に突出した立上り部１８が形成されている。したがって、立上り部１８によって形成された隙間によって、支持部材４６が収容室１０の底面と第１固定部材５１との間をスムーズに移動することができる。
【００３８】
次に、本発明の第２の実施の形態について説明する。第２の実施の形態に係る写真処理装置の構成が、第１の実施の形態に係る写真処理装置１の構成と主に異なる点は、写真処理装置１は、マガジンコードセンサ４０を移動させるセンサ移動機構５９を備えているのに対して、本実施の形態の写真処理装置１０１は、スプライスセンサ６０を移動させるセンサ移動機構７９を備えている点である。その他の構成については、第１の実施の形態とほぼ同様である。第１の実施の形態とほぼ同様の構成を有するものについては、同じ符号を付して適宜その説明を省略する。
【００３９】
本実施の形態の供給マガジン９０の上面には、図１０に示すように、収容方向に沿って配置された板状の連動部材９８が設けられている。
【００４０】
供給マガジン９０に格納されている長尺の印画紙２には、図１１に示すように、２枚の印画紙２ａ、２ｂがスプライステープ８１によってつなぎ合わせられたスプライス部８０が形成されている場合がある。スプライス部８０の近傍には、印画紙２の長手方向に沿った楕円形の開口８２が形成されている。開口８２は、スプライス部８０の存在を検出するためのものであり、その形状やスプライス部８０からの距離については、ＪＩＳ規格、ＩＳＯ規格により規定されている。そして、写真処理装置１には、上述のスプライス部８０を検出するために開口８２を検出するスプライスセンサ６０が設けられている。
【００４１】
図１２は、収容室１０に収容された供給マガジン９０の上方に配置されているフレーム２３の上方から収容室１０内を観た図である。図１３は、収容室１０に収容されている供給マガジン９０の上端部近傍を処理方向から観た図である。図１２、及び図１３に示すように、処理方向に延在する垂直板２３ａ、２３ｂからなる一対のフレーム２３の間に架け渡された、水平の板状部材である第２固定部材７１の下面に、後で詳述する支持部材６４によって支持されたスプライスセンサ６０が配置されている。なお、スプライスセンサ６０は、光学センサであり、発光素子と受光素子とを備えている（図示せず）。また、図１２に示すように、第２固定部材７１には、スプライスセンサ６０から出射された光を通過させるための開口７１ａが形成されている。これにより、スプライスセンサ６０を写真処理装置１の正面から観た図である図１４に示すように、供給マガジン９０から引き出され、処理方向に沿って搬送される印画紙２にスプライス部８０が形成されている場合には、スプライスセンサ６０によって開口８２を検出することができる。
【００４２】
スプライスセンサ６０は、供給マガジン９０が印画紙２の幅方向に沿って移動した際に、センサ移動機構７９によって、供給マガジン９０と同じ方向に同じ距離だけ移動させられる。センサ移動機構７９は、スプライスセンサ６０を支持する支持部材６４と、供給マガジン９０と連動して移動する上述の連動部材９８と、図１３に示すように、連動部材９８が支持部材６４に当接しつつ支持部材６４を収容方向に向かって押圧しているときに、支持部材６４を収容方向とは反対の方向に付勢する付勢機構７０とからなる。
【００４３】
支持部材６４は、第２固定部材７１の下面に当接する水平板６１と、水平板６１の収容方向両端部に連設された垂直板６２、６３からなる。水平板６１には、後述する鋲７４が挿嵌される孔６１ａが形成されている。収容方向手前側の垂直板６２には、後述するばね７５の一端が取り付けられている。ここで、図１３に示すように、供給マガジン９０の上面に設けられている連動部材９８と支持部材６４の垂直板６２とは当接可能な位置関係となっている。支持部材６４は、後で詳述する付勢機構７０によって、図１３に示すように、連動部材９８が支持部材６４に当接しつつ支持部材６４を収容方向に向かって押圧しているときに、収容方向とは反対の方向に付勢される。
【００４４】
付勢機構７０は、上述の第２固定部材７１と、フレーム２３の写真処理装置１の正面側の垂直板２３ａから、第２固定部材７１よりも下方に伸延する板状の第３固定部材７２と、垂直方向に延在していると共に支持部材６４に対して固定された鋲７４と、印画紙２の幅方向に沿って配置される引張りコイルばねであるばね７５とを備えている。第２固定部材７１には、鋲７４が遊嵌される開口７１ｂが形成されている。第３固定部材７２には、ばね７５の支持部材６４に取り付けられている側とは反対側の一端が取り付けられている。つまり、ばね７５の収容方向奥側の一端は、支持部材６４に取り付けられており、収容方向手前側の一端は、第３固定部材７２に取り付けられている。
【００４５】
上述のような構成により、図１３に示すように、連動部材９８が支持部材６４に当接しつつ支持部材６４を収容方向に押圧すると、支持部材６４は、収容方向へスライドする。これにより、ばね７５の支持部材６４に取り付けられている側の一端（収容方向奥側の一端）が、収容方向奥側に移動する。すなわち、ばね７５が伸長される。したがって、支持部材６４は、ばね７５が伸縮する方向である収容方向とは反対の方向に付勢される。なお、収容室１０に供給マガジン９０が収容されている間は、常に連動部材９８は支持部材６４に当接しつつ支持部材６４を収容方向に押圧している。つまり、支持部材６４は、常に収容方向とは反対の方向に付勢される。
【００４６】
以上のように、本実施の形態の写真処理装置１では、供給マガジン９０が印画紙２の幅方向に沿って移動した際に、センサ移動機構７９によって、スプライスセンサ６０が供給マガジン９０と同じ方向に同じ距離だけ移動させられる。したがって、供給マガジン９０が移動しても供給マガジン９０と共に移動するスプライス部８０を検出するための開口８２を検出するスプライスセンサ６０が検出不能となるのを防ぐことができる。
【００４７】
また、本実施の形態の写真処理装置１では、センサ移動機構７９が、スプライスセンサ６０を支持する支持部材６４と、供給マガジンと連動する連動部材９８と、連動部材９８が支持部材６４に当接しつつ支持部材６４を収容方向に押圧しているときに、支持部材６４を収容方向とは反対の方向に付勢する付勢機構７０とからなる。したがって、スプライスセンサ６０を支持する支持部材６４が、供給マガジン９０の移動と同期して供給マガジン９０と同じ方向に同じ距離だけ移動する。よって、簡易な機構でセンサを移動させることができる。
【００４８】
また、本実施の形態の写真処理装置１では、付勢機構７０は、プリント筐体３に固定されたフレーム２３に取り付けられた第３固定部材７２と、印画紙２の幅方向に沿って配置されており、収容方向奥側の一端が支持部材６４に取り付けられており、収容方向手前側の一端が第３固定部材７２に取り付けられている引張りコイルばねであるばね７５とを備えている。したがって、支持部材６４が収容方向にスライドし、ばね７５が伸長した際のばね７５の弾性力によって支持部材６４を付勢することができる。
【００４９】
さらに、本実施の形態の写真処理装置１では、付勢機構７０が、垂直方向に延在する鋲７４を備えており、支持部材６４に鋲７４が挿嵌される孔６１ａが形成されていると共に、フレーム２３の垂直板２３ａ、２３ｂの間に架け渡された水平の板状部材である第２固定部材７１に鋲７４が遊嵌される開口７１ｂが形成されている。したがって、支持部材６４が鋲７４と共に第２固定部材７１に対してスライドすることが可能となる。よって、簡易な機構によって、支持部材６４をプリント筐体３に対してスライド可能に取り付けることができる。
【００５０】
以上、本発明の好適な実施の形態について説明したが、本発明は上述の実施の形態に限られるものではなく、特許請求の範囲に記載した限りにおいて、様々な設計変更を行うことが可能なものである。例えば、上述の第１の実施の形態では、マガジンコードセンサ４０を移動させるセンサ移動機構５９が写真処理装置に備えられている場合について、第２の実施の形態では、スプライスセンサ６０を移動させるセンサ移動機構７９が写真処理装置に備えられている場合についてそれぞれ説明したが、これには限られない。写真処理装置にマガジンコードセンサ４０を移動させるセンサ移動機構５９及びスプライスセンサ６０を移動させるセンサ移動機構７９が両方備えられていてもよい。また、センサ移動機構によって移動させられるセンサは、マガジンコードセンサ４０やスプライスセンサ６０に限定されない。供給マガジン９０と共に移動する検出対象を検出するためのセンサであればよい。
【００５１】
また、上述の第１及び第２の実施の形態では、センサ移動機構５９、７９が、センサ４０、６０を支持する支持部材４６、６４と、供給マガジン９０と連動するマガジン台３２（第２の実施の形態においては連動部材９８）と、マガジン台３２（連動部材９８）が支持部材４６、６４に当接しつつ支持部材４６、６４を押圧しているときに、支持部材４６、６４を収容方向とは反対の方向に付勢する付勢機構５０、７０とからなる場合について説明したが、これには限られない。センサ移動機構５９、７９は、供給マガジン９０が印画紙２の幅方向に移動した際に、センサ４０、６０を供給マガジン９０と同じ方向に同じ距離だけ移動させることができれば、どのような構成であってもよい。
【００５２】
また、上述の第１及び第２の実施の形態では、付勢機構が、印画紙２の幅方向に沿って配置されており、収容方向奥側の一端がセンサを支持する支持部材に取り付けられており、収容方向手前側の一端がプリント筐体３に対して固定された固定部材に取り付けられた引張りコイルばねを備えている場合について説明したが、これには限られない。付勢機構に用いるばねは、圧縮コイルばねでもよい。また、例えばゴム等の、ばね以外の弾性体の弾性力によって付勢するようにしてもよい。
【００５３】
さらに、上述の第１の実施の形態では、孔１９ａをバーリング加工で形成することで形成された立上り部１８によって、第１固定部材５１と収容室１０の底面との間に所定の間隔の隙間を形成する場合について説明したが、第１固定部材５１と収容室１０の底面との間に所定の間隔の隙間を形成するスペーサは立上り部１８には限定されない。例えば、図１５に示すように、収容室１０の底面の収容室１０側の部材に上方に突出する突起１７を形成することによって、第１固定部材５１と収容室１０の底面との間に所定の間隔の隙間を形成するようにしてもよい。
【図面の簡単な説明】
【００５４】
【図１】本発明の第１の実施の形態に係る写真処理装置の概略構成を示す図である。
【図２】図１に示す扉体を開いた状態を示す図である。
【図３】図１に示す収容室に収容される供給マガジンの構成を示す図である。
【図４】図３に示す供給マガジンが収容室１０内で移動する様子を示す模式図である。
【図５】図３に示す供給マガジンに取り付けられるマガジンコードを示す図である。
【図６】図１に示す収容室に収容された供給マガジンの収容方向奥側部分の近傍を処理方向から観た図である。
【図７】図６の鋲が配置されている部分の拡大図である。
【図８】図１に示す収容室（供給マガジンが収容されていない状態）を写真処理装置の前面から観た図である。
【図９】図１に示す収容室を写真処理装置の背面から観た図である。
【図１０】本発明の第２の実施の形態の写真処理装置に収容される供給マガジンの構成を示す図である。
【図１１】図３に示す供給マガジンに収容される印画紙に形成されるスプライス部を示す図である。
【図１２】図１に示す収容室を上方から観た図である。
【図１３】図１に示す収容室に収容される供給マガジンの上端部近傍を処理方向から観た図である。
【図１４】図１１に示すスプライスセンサを写真処理装置の前面から観た図である。
【図１５】本発明の第１の実施の形態のスペーサの一変形例を示す図である。
【符号の説明】
【００５５】
１  写真処理装置
２  印画紙（感光材料）
３  プリント筐体（筐体）
４  プロセッサ筐体
１０  収容室
１８  立上り部（スペーサ部）
１９  孔（挿嵌部）
３１  押圧部材（移動機構）
３２  マガジン台（連動部材）
４０  マガジンコードセンサ（センサ）
４２ａ  開口（遊嵌部）
４６  支持部材
５０  付勢機構
５１  第１固定部材（固定部材）
５２ａ  孔（挿嵌部）
５４  鋲
５５  ばね
５９  センサ移動機構
６０  スプライスセンサ（センサ）
６１ａ  孔（挿嵌部）
６４  支持部材
７０  付勢機構
７１  第２固定部材（固定部材）
７１ｂ  開口（遊嵌部）
７２  第３固定部材（固定部材）
７４  鋲
７５  ばね
７９  センサ移動機構
８０  スプライス部
８２  開口（検出対象）
９０  供給マガジン
９５  マガジンコード（検出対象）
９８  連動部材
【図１】
2007017682.tif 000003
【図２】
2007017682.tif 000004
【図３】
2007017682.tif 000005
【図４】
2007017682.tif 000006
【図５】
2007017682.tif 000007
【図６】
2007017682.tif 000008
【図７】
2007017682.tif 000009
【図８】
2007017682.tif 000010
【図９】
2007017682.tif 000011
【図１０】
2007017682.tif 000012
【図１１】
2007017682.tif 000013
【図１２】
2007017682.tif 000014
【図１３】
2007017682.tif 000015
【図１４】
2007017682.tif 000016
【図１５】
2007017682.tif 000017